(57)【要約】【課題】１本の信号線で電力信号を含む複数の伝送信号を伝送することが可能な情報処理装置を提供すること。【解決手段】互いに異なる周波数帯を有し、かつ、直流成分を含まない複数の伝送信号と、直流電源から供給される電力信号とを多重して多重信号を生成する信号多重部と、前記信号多重部により生成された多重信号が伝送される１本の信号ケーブルと、前記信号ケーブルを通じて伝送された多重信号を前記各伝送信号に対応する周波数帯の信号、及び前記電力信号に対応する周波数帯の信号に分離する信号分離部と、を備える、情報処理装置が提供される。【選択図】図３
2010093462.tif 000002
【特許請求の範囲】
【請求項１】
互いに異なる周波数帯を有し、かつ、直流成分を含まない複数の伝送信号と、直流電源から供給される電力信号とを多重して多重信号を生成する信号多重部と、
前記信号多重部により生成された多重信号が伝送される１本の信号ケーブルと、
前記信号ケーブルを通じて伝送された多重信号を前記各伝送信号に対応する周波数帯の信号、及び前記電力信号に対応する周波数帯の信号に分離する信号分離部と、
を備える、情報処理装置。
【請求項２】
前記情報処理装置は、前記信号ケーブルにより接続された第１及び第２の情報処理モジュールを備え、
前記第１の情報処理モジュールは、前記直流電源、前記信号多重部、及び前記伝送信号に所定の処理を施す信号処理部を有し、
前記第２の情報処理モジュールは、映像信号を出力する表示画面、無線アンテナ、及び前記信号分離部を有し、
前記信号多重部は、前記伝送信号として、前記表示画面に出力される映像信号、及び前記無線アンテナから伝送される無線信号を前記電力信号に多重して多重信号を生成し、
前記信号分離部は、前記多重信号から前記映像信号、前記無線信号、及び前記電力信号を分離する、請求項１に記載の情報処理装置。
【請求項３】
前記信号分離部は、
周波数０近傍の周波数帯を通過帯域とする第１のフィルタと、
前記各伝送信号の周波数帯をそれぞれ通過帯域とする複数の第２のフィルタと、
を含み、
前記第１のフィルタにより前記多重信号から前記電力信号が抽出され、
前記電力信号が除去された多重信号から前記各第２のフィルタにより前記各伝送信号が抽出される、請求項１に記載の情報処理装置。
【請求項４】
前記情報処理装置は、ノート型のパーソナルコンピュータ、又は携帯電話である、請求項１に記載の情報処理装置。
【請求項５】
前記信号多重部は、前記伝送信号として、少なくとも無線ＬＡＮ（Ｌｏｃａｌ  Ａｒｅａ  Ｎｅｔｗｏｒｋ）の送受信信号、又は放送波の受信信号を前記電力信号に多重する、請求項１に記載の情報処理装置。
【請求項６】
前記信号多重部は、互いに異なる第１及び第２のビット値を含む入力データに対し、前記第１のビット値を複数の第１の振幅値で表現し、前記第２のビット値を前記第１の振幅値とは異なる第２の振幅値で表現し、連続して同じ振幅値をとらず、かつ、一周期毎に振幅値の極性が反転するように符号化された前記複数の伝送信号を前記電力信号に多重する、請求項１に記載の情報処理装置。
【請求項７】
互いに異なる周波数帯を有し、かつ、直流成分を含まない複数の伝送信号と、直流電源から供給される電力信号とが多重されて多重信号が生成される信号多重ステップと、
前記信号多重ステップで生成された多重信号が１本の信号ケーブルを通じて伝送される信号伝送ステップと、
前記信号ケーブルを通じて伝送された多重信号が前記各伝送信号に対応する周波数帯の信号、及び前記電力信号に対応する周波数帯の信号に分離される信号分離ステップと、
を含む、信号伝送方法。
【発明の詳細な説明】
【技術分野】
【０００１】
本発明は、情報処理装置、及び信号伝送方法に関する。
【背景技術】
【０００２】
携帯電話等に代表される携帯端末においては、ユーザが操作する操作部分と、情報が表示される表示部分との接続部分に可動部材が用いられていることが多い。例えば、折り畳み式の携帯電話の開閉構造等が代表的なものである。さらに、最近の携帯電話は、通話機能やメール機能の他にも、映像の視聴機能や撮像機能等が搭載されており、ユーザの用途に応じて上記の接続部分が複雑に可動することが求められる。例えば、映像の視聴機能を利用する場合、ユーザは、表示部分を自身の側に向け、視聴に不要な操作部分を収納したいと考えるであろう。このように、携帯電話を通常の電話として利用する場合や、デジタルカメラとして利用する場合、或いは、テレビジョン受像機として利用する場合、その用途に合わせて表示部分の向きや位置を簡単に変更出来るような構造が求められている。
【０００３】
ところが、操作部分と表示部分との間の接続部分には、多数の信号線や電力線が配線されている。例えば、表示部分には、数十本の配線がパラレルに接続されている。そのため、上記のように複雑な動きができる可動部材を接続部分に用いると、配線の信頼性等が著しく低下してしまう。こうした理由から、接続部分の信号線を減らすためにパラレル伝送方式からシリアル伝送方式に技術がシフトしてきている。もちろん、同様の理由による技術的なシフトは、携帯電話の世界に限らず、複雑な配線が求められる様々な電子機器の世界においても生じている。なお、シリアル化する理由としては、上記の他、放射電磁雑音（ＥＭＩ；Ｅｌｅｃｔｒｏ  Ｍａｇｎｅｔｉｃ  Ｉｎｔｅｒｆｅｒｅｎｃｅ）を低減したいというものもある。
【０００４】
さて、上記のようなシリアル伝送方式においては、伝送データが所定の方式で符号化されてから伝送される。この符号化方式としては、例えば、ＮＲＺ（Ｎｏｎ  Ｒｅｔｕｒｎ  ｔｏ  Ｚｅｒｏ）符号方式やマンチェスター符号方式、或いは、ＡＭＩ（Ａｌｔｅｒｎａｔｅ  Ｍａｒｋ  Ｉｎｖｅｒｓｉｏｎ）符号方式等が利用される。例えば、下記の特許文献１には、バイポーラ符号の代表例であるＡＭＩ符号を利用してデータ伝送する技術が開示されている。また、同文献には、データクロックを信号レベルの中間値で表現して伝送し、受信側で信号レベルに基づいてデータクロックを再生する技術が開示されている。
【０００５】
【特許文献１】特開平３−１０９８４３号公報
【発明の開示】
【発明が解決しようとする課題】
【０００６】
上記の符号化方式のうち、ＮＲＺ符号方式の信号には直流成分が含まれてしまう。そのため、ＮＲＺ符号方式の信号は、電源等の直流成分と一緒に伝送することが難しい。一方、マンチェスター符号方式やＡＭＩ符号方式の信号には直流成分が含まれない。そのため、電源等の直流成分と一緒に伝送することができる。しかしながら、マンチェスター符号方式やＡＭＩ符号方式は、受信側で信号のデータクロックを再生するためにＰＬＬ（Ｐｈａｓｅ−Ｌｏｃｋｅｄ  Ｌｏｏｐ）回路が必要になる。そのため、ＰＬＬ回路が受信側に設けられた分だけ消費電流量が増大してしまう。また、マンチェスター符号方式は、振幅の立ち上がりと立ち下がりを利用してデータレートの２倍のクロックでデータが伝送される。その結果、高クロック動作により消費電流が増加してしまう。
【０００７】
そこで、本発明は、上記問題に鑑みてなされたものであり、本発明の目的とするところは、受信側におけるクロック再生時にＰＬＬ回路が不要であり、かつ、複数の伝送信号を直流電源に多重して伝送することが可能な、新規かつ改良された情報処理装置、及び信号伝送方法を提供することにある。
【課題を解決するための手段】
【０００８】
上記課題を解決するために、本発明のある観点によれば、互いに異なる周波数帯を有し、かつ、直流成分を含まない複数の伝送信号と、直流電源から供給される電力信号とを多重して多重信号を生成する信号多重部と、前記信号多重部により生成された多重信号が伝送される１本の信号ケーブルと、前記信号ケーブルを通じて伝送された多重信号を前記各伝送信号に対応する周波数帯の信号、及び前記電力信号に対応する周波数帯の信号に分離する信号分離部と、を備える、情報処理装置が提供される。
【０００９】
また、前記情報処理装置は、前記信号ケーブルにより接続された第１及び第２の情報処理モジュールを備えていてもよい。この場合、前記第１の情報処理モジュールは、前記直流電源、前記信号多重部、及び前記伝送信号に所定の処理を施す信号処理部を有する。そして、前記第２の情報処理モジュールは、映像信号を出力する表示画面、無線アンテナ、及び前記信号分離部を有する。さらに、前記信号多重部は、前記伝送信号として、前記表示画面に出力される映像信号、及び前記無線アンテナから伝送される無線信号を前記電力信号に多重して多重信号を生成する。そして、前記信号分離部は、前記多重信号から前記映像信号、前記無線信号、及び前記電力信号を分離する。
【００１０】
また、前記信号分離部は、周波数０近傍の周波数帯を通過帯域とする第１のフィルタと、直流成分を除去する直流成分除去器と、前記各伝送信号の周波数帯をそれぞれ通過帯域とする複数の第２のフィルタと、を含むものであってもよい。この場合、前記第１のフィルタにより前記多重信号から前記電力信号が抽出される。また、前記直流成分除去器により前記多重信号から前記電力信号が除去される。さらに、前記各第２のフィルタにより前記直流成分除去器の出力信号から前記各伝送信号が抽出される。
【００１１】
また、前記情報処理装置は、ノート型のパーソナルコンピュータ、又は携帯電話であってもよい。
【００１２】
また、前記信号多重部は、前記伝送信号として、少なくとも無線ＬＡＮ（Ｌｏｃａｌ  Ａｒｅａ  Ｎｅｔｗｏｒｋ）の送受信信号、又は放送波の受信信号を前記電力信号に多重するように構成されていてもよい。
【００１３】
また、前記信号多重部は、互いに異なる第１及び第２のビット値を含む入力データに対し、前記第１のビット値を複数の第１の振幅値で表現し、前記第２のビット値を前記第１の振幅値とは異なる第２の振幅値で表現し、連続して同じ振幅値をとらず、かつ、一周期毎に振幅値の極性が反転するように符号化された前記複数の伝送信号を前記電力信号に多重するように構成されていてもよい。
【００１４】
また、上記課題を解決するために、本発明の別の観点によれば、互いに異なる周波数帯を有し、かつ、直流成分を含まない複数の伝送信号と、直流電源から供給される電力信号とが多重されて多重信号が生成される信号多重ステップと、前記信号多重ステップで生成された多重信号が１本の信号ケーブルを通じて伝送される信号伝送ステップと、前記信号ケーブルを通じて伝送された多重信号が前記各伝送信号に対応する周波数帯の信号、及び前記電力信号に対応する周波数帯の信号に分離される信号分離ステップと、を含む、信号伝送方法が提供される。
【発明の効果】
【００１５】
以上説明したように本発明によれば、受信側におけるクロック再生時にＰＬＬ回路が不要であり、かつ、複数の伝送信号を直流電源に多重して伝送することが可能になる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
［説明の流れについて］
ここで、以下に記載する本発明の実施形態に関する説明の流れについて簡単に述べる。まず、図１、図２を参照しながら、シリアル伝送方式を採用した携帯端末等の構成例について説明し、シリアル伝送方式の携帯端末等が抱える技術的課題について説明する。
【００１８】
次いで、図３、図４を参照しながら、本発明の一実施形態に係る携帯端末の構成について説明する。また、図５を参照しながら、同実施形態に係る符号化方法について説明する。さらに、図６を参照しながら、当該符号化方法により得られる符号化信号の周波数特性について説明する。次いで、図７を参照しながら、同実施形態に係る復号方法について説明する。次いで、図８、図９を参照しながら、同実施形態に係る信号多重／分離手段の回路構成について説明する。次いで、図１０、図１１を参照しながら、同実施形態の応用例について説明する。最後に、同実施形態に係る技術的思想について纏め、当該技術的思想から得られる作用効果について簡単に説明する。
【００１９】
（説明項目）
１：課題の整理
２：携帯端末２００の構成について
３：信号多重／分離手段の回路構成について
４：ＰＣへの応用
５：まとめ
【００２０】
［１：課題の整理］
まず、本発明の一実施形態に係る技術について詳細な説明をするに先立ち、同実施形態が解決しようとする課題について簡単に纏める。
【００２１】
（パラレル伝送方式について）
既に述べた通り、一般的な携帯電話等の電子機器においては、演算処理装置が搭載される操作部分と表示画面が搭載される表示部分との間の接続部分に多数の信号線や電力線が配線されている。例えば、表示部分には、数十本の配線がパラレルに接続されている（パラレル伝送方式）。そのため、複雑な動きが可能な可動部材を接続部分に用いると、配線の信頼性が非常に低くなる。また、配線の信頼性を所定以上に維持しようとすると、接続部分の可動範囲が非常に制限されてしまう。そこで、携帯電話等の電子機器には、図１に示すようなシリアル伝送方式が採用されるようになってきている。また、低インピーダンス駆動する信号線の数を減らして消費電力を低減させたり、放射電磁雑音（ＥＭＩ）を低減させたりする目的においても、伝送線路のシリアル化が推進されている。
【００２２】
（シリアル伝送方式について）
図１を参照しながら、シリアル伝送方式を採用した携帯端末１００の構成例について簡単に説明する。図１は、シリアル伝送方式を採用した携帯端末１００の構成例を示す説明図である。なお、図１には、携帯端末１００の一例として携帯電話が模式的に描画されているが、以下で説明される技術の適用範囲は携帯電話に限定されない。
【００２３】
図１に示すように、携帯端末１００は、主に、表示部１０２と、接続部１０６と、操作部１０８とを有する。また、表示部１０２には、液晶部１０４（ＬＣＤ；Ｌｉｑｕｉｄ  Ｃｒｙｓｔａｌ  Ｄｉｓｐｌａｙ）と、デシリアライザ１３８と、第１アンテナ１５４とが含まれる。さらに、操作部１０８には、ベースバンドプロセッサ１１０（ＢＢＰ）と、シリアライザ１３４と、ＲＦ部１５０と、第２アンテナ１５６とが含まれる。そして、接続部１０６には、シリアル信号線路１３６と、無線信号線路１５２と、電源線路１５８（ＶＣＣ）とが配線されている。
【００２４】
上記の通り、表示部１０２には液晶部１０４が設けられている。液晶部１０４には、シリアル信号線路１３６を通じて伝送された映像信号が表示される。なお、シリアル信号線路１３６には、例えば、細芯同軸線が用いられる。このように、携帯端末１００は、シリアル伝送方式に基づき、接続部１０６に配線されたシリアル信号線路１３６を通じて映像信号等（シリアル信号）を伝送している。そのため、操作部１０８には、ベースバンドプロセッサ１１０から出力されたパラレル信号をシリアル化するためのシリアライザ１３４が設けられる。一方、表示部１０２には、シリアル信号線路１３６を通じて伝送されたシリアル信号をパラレル化するためのデシリアライザ１３８が設けられる。
【００２５】
シリアライザ１３４は、ベースバンドプロセッサ１１０から入力されたパラレル信号をシリアル信号に変換する。シリアライザ１３４から出力されたシリアル信号は、シリアル信号線路１３６を通じてデシリアライザ１３８に入力される。デシリアライザ１３８は、入力されたシリアル信号を元のパラレル信号に復元して液晶部１０４に入力する。シリアル信号線路１３６には、例えば、ＮＲＺ符号方式で符号化されたデータ信号が単独で伝送されるか、或いは、データ信号とクロック信号とが一緒に伝送される。なお、シリアル信号線路１３６を流れるシリアル信号には、多くの場合、ＬＶＤＳ（Ｌｏｗ  Ｖｏｌｔａｇｅ  Ｄｉｆｆｅｒｅｎｔｉａｌ  Ｓｉｇｎａｌ）等の差動信号が用いられる。
【００２６】
また、シリアル信号線路１３６の配線数ｋは数本程度まで削減することができる。そのため、シリアル信号線路１３６が配線される接続部１０６の可動範囲は非常に大きい。また、伝送線路をシリアル化することで、シリアル信号線路１３６の信頼性を格段に高めることができる。そのため、表示部１０２と操作部１０８とを接続する接続部１０６には、例えば、表示部１０２を図中の矢印Ａ方向に１８０度回転できるようにする可動部材が利用可能である。また、接続部１０６には、表示部１０２を操作部１０８に向けて傾倒できるようにする可動部材が利用可能である。このような可動部材を利用することで、表示部１０２をユーザ側に向けたまま携帯端末１００を折り畳みできる構造が実現される。
【００２７】
上記の通り、ベースバンドプロセッサ１１０から液晶部１０４に伝送される映像信号等の伝送線路がシリアル化されることで接続部１０６に配線される信号線の数が大幅に低減される。しかし、携帯端末１００には、シリアル信号線路１３６の他にも、例えば、無線信号線路１５２や電源線路１５８等が配線されている。
【００２８】
電源線路１５８は、操作部１０８から表示部１０２に電力を供給するためのものである。通常、携帯端末１００のバッテリーは、操作部１０８に搭載される。そのため、表示部１０２に対して操作部１０８から電力供給が行われる。また、電圧降下を低減させるため、電源線路１５８には、ある程度の太さを持った線材が用いられるか、或いは、複数の細い線材を束ねたものが用いられる。そのため、シリアル信号線路１３６の他に電源線路１５８が設けられることで接続部１０６の可動範囲が大きく制限されてしまう。
【００２９】
一方、無線信号線路１５２は、ＲＦ部１５０から出力された無線伝送信号を表示部１０２に設けられた第１アンテナ１５４に伝送するためのものである。なお、ＲＦ部１５０は、通話時の音声信号やデータ通信時のデータ信号等を無線伝送信号に変調して出力する手段である。図１に示すように、携帯端末１００には、ダイバーシティ受信用に２つのアンテナ（第１アンテナ１５４、第２アンテナ１５６）が設けられている。第１アンテナ１５４は、表示部１０２に設けられ、無線信号線路１５２を介してＲＦ部１５０に接続されている。一方、第２アンテナ１５６は、操作部１０８に設けられている。
【００３０】
通常、操作部１０８は、ユーザが手で把持する部分である。そのため、操作部１０８に設けられた第２アンテナ１５６において感度の劣化が発生しやすい。そこで、ユーザにより把持されることが少ない表示部１０２に第１アンテナ１５４がメインのアンテナとして設けられる。一方、操作部１０８に設けられた第２アンテナ１５６は、サブのアンテナとして用いられる。しかしながら、第１アンテナ１５４が表示部１０２に設けられているため、第１アンテナ１５４とＲＦ部１５０とを接続するための無線信号線路１５２が接続部１０６に配線される。その結果、シリアル信号線路１３６、電源線路１５８の他に無線信号線路１５２が設けられることで接続部１０６の可動範囲が大きく制限されてしまう。
【００３１】
上記の通り、ベースバンドプロセッサ１１０から出力される映像信号等がシリアル化されても、実際には電源線路１５８や無線信号線路１５２等が存在するため、接続部１０６の可動範囲が制限されてしまう。また、表示部１０２に音声入力部や撮像部（非図示）等が搭載されていることもあり、これらの構成要素からベースバンドプロセッサ１１０に信号を伝送するための信号線路が設けられることもある。そこで、このような携帯端末１００においては、シリアル信号線路１３６、電源線路１５８、無線信号線路１５２等の信号線を少ない本数に纏める技術が求められる。
【００３２】
（機能構成）
ここで、図２を参照しながら、シリアル伝送方式を採用した携帯端末１００の機能構成について説明する。但し、シリアライザ１３４、及びデシリアライザ１３８以外の構成要素については詳細な説明を省略し、シリアライザ１３４、及びデシリアライザ１３８の機能構成に注目して説明する。図２は、図１に示した携帯端末１００について、シリアライザ１３４、及びデシリアライザ１３８の機能構成をより詳細に示したものである。
【００３３】
（シリアライザ１３４）
図２に示すように、シリアライザ１３４は、Ｐ／Ｓ変換部１６２と、エンコーダ１６４と、ドライバ１６６とにより構成される。シリアライザ１３４には、ベースバンドプロセッサ１１０からパラレル信号（パラレル表示データ）が入力される。シリアライザ１３４に入力されたパラレル信号は、Ｐ／Ｓ変換部１６２によりシリアル信号に変換される。Ｐ／Ｓ変換部１６２から出力されたシリアル信号は、エンコーダ１６４に入力される。エンコーダ１６４は、シリアル信号にヘッダ等を付加してドライバ１６６に入力する。ドライバ１６６は、入力されたシリアル信号をＬＶＤＳでデシリアライザ１３８に伝送する。
【００３４】
（デシリアライザ１３８）
デシリアライザ１３８は、レシーバ１７２と、デコーダ１７４と、Ｓ／Ｐ変換部１７６と、クロック再生部１７８と、ＰＬＬ部１８０とにより構成される。
【００３５】
デシリアライザ１３８には、ＬＶＤＳでシリアライザ１３４からシリアル信号が伝送される。このシリアル信号は、レシーバ１７２により受信される。レシーバ１７２により受信されたシリアル信号は、デコーダ１７４、及びクロック再生部１７８に入力される。クロック再生部１７８は、外部から入力されるリファレンスクロック（Ｒｅｆ．ＣＬＫ）を参照し、内蔵するＰＬＬ部１８０を用いてシリアル信号用クロックからパラレル信号用クロックを再生する。
【００３６】
クロック再生部１７８により再生されたパラレル信号用クロックは、デコーダ１７４に入力される。デコーダ１７４は、入力されたシリアル信号のヘッダを参照し、データの先頭部分を検出してＳ／Ｐ変換部１７６に入力する。このとき、デコーダ１７４は、クロック再生部１７８により再生されたパラレル信号用クロックを利用する。Ｓ／Ｐ変換部１７６は、入力されたシリアル信号をパラレル信号（パラレル表示データ）に変換する。Ｓ／Ｐ変換部１７６で変換されたパラレル信号は液晶部１０４（ＬＣＤ）に入力される。
【００３７】
以上説明した通り、ベースバンドプロセッサ１１０からシリアライザ１３４に入力されたパラレル信号（パラレル表示データ）は、シリアル信号に変換されてデシリアライザ１３８に伝送される。そして、入力されたシリアル信号は、デシリアライザ１３８により元のパラレル信号に復元されて液晶部１０４に入力される。
【００３８】
上記の携帯端末１００のように、パラレル信号をシリアル信号に変換して伝送することにより、その伝送線路がシリアル化される。その結果、シリアル信号線路が配置される部分の可動範囲が拡大し、表示部１０２の配置に関する自由度が向上する。そのため、例えば、携帯端末１００を利用してテレビジョン放送等を視聴する場合に、表示部１０２の配置がユーザから見て横長になるように携帯端末１００を変形させることができるようになるのである。こうした自由度の向上に伴い、携帯端末１００の用途が広がり、通信端末としての各種機能に加えて、映像や音楽の視聴等、様々な利用形態が生まれている。
【００３９】
しかしながら、シリアル信号線路１３６とは別に電源線路１５８や無線信号線路１５２等を設ける必要があるため、依然として表示部１０２の配置に関する自由度に制限が課せられている。例えば、複数の信号線が接続部１０６に配線されている場合、図１の矢印Ａ方向に表示部１０２を３６０度回転させることができない。さらに、デシリアライザ１３８においてクロックを再生する際にＰＬＬ（ＰＬＬ部１８０）が利用されるため、消費電力が大きくなってしまう。こうした点に鑑み、後述する実施形態においては、接続部１０６に配線される信号線の本数を１本にし、かつ、デシリアライザ１３８にＰＬＬを用いずに済む信号伝送方法が提案される。
【００４０】
＜実施形態＞
本発明の一実施形態について説明する。本実施形態は、操作部１０８から表示部１０２に伝送される複数の伝送信号を１本の信号線により伝送する信号伝送方法を提案するものである。この信号伝送方法は、複数の伝送信号を直流電力に重畳して伝送する技術に関し、さらに、受信側でＰＬＬを用いずにクロック再生することを可能にする方法に関する。
【００４１】
［２：携帯端末２００の構成について］
まず、図３を参照しながら、本実施形態に係る携帯端末２００の装置構成例について説明する。図３は、本実施形態に係る携帯端末２００の装置構成例を示す説明図である。但し、上記の携帯端末１００と実質的に同一の機能を有する構成要素については同一の符号を付することにより重複説明を省略することにする。なお、図３には、携帯端末２００の一例として携帯電話が模式的に描画されているが、以下で説明される技術の適用範囲は携帯電話に限定されない。
【００４２】
図３に示すように、携帯端末２００は、上記の携帯端末１００と同様に、表示部１０２と、接続部１０６と、操作部１０８とを有する。また、表示部１０２には、液晶部１０４（ＬＣＤ）と、デシリアライザ１３８と、第１アンテナ１５４と、デマルチプレクサ２０６（ＤＭＵＸ）とが含まれる。さらに、操作部１０８には、ベースバンドプロセッサ１１０（ＢＢＰ）と、シリアライザ１３４と、ＲＦ部１５０と、第２アンテナ１５６と、マルチプレクサ２０２（ＭＵＸ）とが含まれる。そして、接続部１０６には、１本の同軸ケーブル２０４が配線されている。
【００４３】
上記の携帯端末１００と図３に示す携帯端末２００との間の主な相違点は、マルチプレクサ２０２、同軸ケーブル２０４、及びデマルチプレクサ２０６の有無にある。そこで、これらの構成要素について詳細に説明する。
【００４４】
（マルチプレクサ２０２）
図３に示すように、マルチプレクサ２０２には、シリアライザ１３４から映像信号等のシリアル信号が入力され、ＲＦ部１５０からデータ信号や音声信号等の無線伝送信号が入力される。さらに、マルチプレクサ２０２には、直流電源から電力信号（ＶＣＣ１）が入力される。既に述べた通り、上記のシリアル信号は、ベースバンドプロセッサ１１０から出力されたパラレル信号がシリアライザ１３４によりシリアル化されたものである。これらの信号が入力されると、マルチプレクサ２０２は、入力されたシリアル信号、及び無線伝送信号を電力信号に多重して多重信号を生成し、同軸ケーブル２０４を通じて表示部１０２のデマルチプレクサ２０６に伝送する。
【００４５】
（デマルチプレクサ２０６）
同軸ケーブル２０４を通じて多重信号が伝送されると、デマルチプレクサ２０６は、受信した多重信号から電力信号（ＶＣＣ２）、シリアル信号、無線伝送信号を分離する。このとき、デマルチプレクサ２０６は、電力信号、シリアル信号、及び無線伝送信号にそれぞれ対応する周波数帯の信号を多重信号から選択的に抽出して個々の信号を分離する。例えば、電力信号は、多重信号に直流成分として含まれている。そのため、デマルチプレクサ２０６は、多重信号から周波数０近傍の周波数帯域を切り出すことで電力信号を抽出することができる。
【００４６】
また、無線伝送信号は、多重信号から高周波（ＲＦ）帯域を切り出すことで抽出される。さらに、シリアル信号は、多重信号から無線伝送信号よりも低い周波数帯域を切り出すことで抽出される。つまり、各信号成分は周波数軸上で分離される。デマルチプレクサ２０６により分離された信号のうち、電力信号は、表示部１０２の各構成要素に駆動電力として供給される。また、無線伝送信号は第１アンテナ１５４に伝送されて無線発信される。さらに、シリアル信号は、デシリアライザ１３８に入力される。デシリアライザ１３８は、入力されたシリアル信号を元のパラレル信号に復元して液晶部１０４に入力する。
【００４７】
以上、携帯端末２００の装置構成について説明した。上記のように、映像信号等のシリアル信号、及び無線伝送信号が電力信号に多重して伝送されることで、１本の同軸ケーブル２０４を用いて全ての信号が伝送可能になる。つまり、接続部１０６には、１本の同軸ケーブル２０４しか配線されていない。そのため、接続部１０６の可動範囲を非常に大きくすることが可能になると同時に、信号線の信頼性を格段に高めることができる。接続部１０６に１本しか信号線が通っていないため、例えば、図３に示す矢印Ａの方向に３６０度回転可能な構成にすることも可能になる。
【００４８】
（機能構成）
ここで、図４を参照しながら、シリアル伝送方式を採用した携帯端末２００の機能構成について説明する。但し、シリアライザ１３４、及びデシリアライザ１３８以外の構成要素については詳細な説明を省略し、シリアライザ１３４、及びデシリアライザ１３８の機能構成に注目して説明する。図４は、図３に示した携帯端末２００について、シリアライザ１３４、及びデシリアライザ１３８の機能構成をより詳細に示したものである。また、シリアライザ１３４、ＲＦ部１５０、及びマルチプレクサ２０２の関係、及びデシリアライザ１３８、及びデマルチプレクサ２０６の関係が明示されている。
【００４９】
（操作部１０８の機能構成について）
図４に示すように、シリアライザ１３４は、Ｐ／Ｓ変換部１６２と、エンコーダ１６４と、ドライバ１６６とにより構成される。シリアライザ１３４には、ベースバンドプロセッサ１１０からパラレル信号（パラレル表示データ）が入力される。シリアライザ１３４に入力されたパラレル信号は、Ｐ／Ｓ変換部１６２によりシリアル信号に変換される。Ｐ／Ｓ変換部１６２から出力されたシリアル信号は、エンコーダ１６４に入力される。エンコーダ２０８は、シリアル信号にヘッダ等を付加し、所定の符号化方式に基づいて符号化することで符号化信号を生成する。
【００５０】
ここで、図５を参照しながら、エンコーダ２０８による符号化方法について説明する。図５は、本実施形態に係る符号化方法の一例を示す説明図である。なお、図５には、１００％デューティのＡＭＩ符号をベースとする符号の生成方法が記載されている。しかし、本実施形態に係る技術はこれに限定されず、ＡＭＩ符号と似た特性を有する符号に対しても同様に適用される。例えば、バイポーラ符号やパーシャル・レスポンス方式の符号等にも適用できる。
【００５１】
（信号形態）
まず、エンコーダ２０８の符号化処理により生成される信号形態について説明する。図５に示した信号（Ａ）は、入力データをＡＭＩ符号方式に基づいて符号化したものである。一方、信号（Ｃ）は、本実施形態に係る符号化方法で信号（Ａ）を符号化したものである。信号（Ｃ）は、データ１が複数の電位Ａ１（−１、−３、１、３）で表現され、データ０が電位Ａ１とは異なる複数の電位Ａ２（−２、２）で表現されている。また、信号（Ｃ）は、一周期毎に極性反転し、連続して同じ電位とならない。そのため、信号（Ｃ）の立ち上がりエッジ及び立ち下がりエッジからクロック成分が再生可能である。
【００５２】
例えば、信号（Ａ）を参照すると、ビット間隔Ｔ６、…、Ｔ９でデータ０が続く区間が存在している。つまり、信号（Ａ）には、電位０の連続区間が含まれる。このような同電位の連続区間が含まれていると、立ち上がり又は立ち下がりの周期が検出できくなり、当該信号からクロックを再生することは難しい。しかし、信号（Ｃ）には、同電位の連続区間が含まれていない。例えば、同じデータが連続するビット間隔Ｔ６、…、Ｔ９においても、信号（Ｃ）においては、互いに異なる電位（−２、２、−２、２）で表現される。このように、信号（Ｃ）は、同じデータ値が連続して現れても一周期毎に極性が反転するように構成されているのである。
【００５３】
（符号化方法）
次に、エンコーダ２０８による信号（Ｃ）の生成方法について説明する。まず、エンコーダ２０８は、入力されたシリアル信号をＡＭＩ符号の信号（Ａ）に符号化する。次いで、エンコーダ２０８は、伝送速度Ｆｂを有するＡＭＩ符号の半分の周波数（Ｆｂ／２）を持つクロック信号（Ｂ）を生成する。つまり、クロック信号の１周期は２／Ｆｂとなる。但し、クロック信号の振幅は、ＡＭＩ符号のＮ倍（Ｎ＞１；例えば、Ｎ＝２）とする。次いで、エンコーダ２０８は、加算器ＡＤＤに信号（Ａ）及びクロック信号（Ｂ）を入力して加算し、信号（Ｃ）を生成する。このとき、ＡＭＩ符号とクロックとは同期され、エッジを揃えて加算される。
【００５４】
以上、エンコーダ２０８による符号化方法について説明した。信号（Ｃ）のように、直流成分を含まず、かつ、一周期毎に極性反転する信号の周波数スペクトラムは、図６のような形状になる。加算器ＡＤＤで加算されたクロック信号の周波数Ｆｂ／２に線スペクトルが現れ、それに加える形でＡＭＩ符号のブロードな周波数スペクトラムが現れている。また、この周波数スペクトラムには、周波数Ｆｂ、２Ｆｂ、…にヌル点が存在する。
【００５５】
再び図４を参照する。エンコーダ２０８により上記のようにして生成された信号（Ｃ）（以下、シリアル信号）は、ドライバ１６６を通じてマルチプレクサ２０２に入力される。また、マルチプレクサ２０２には、ＲＦ部１５０から出力された高周波信号（以下、無線伝送信号）、及び直流電源から入力された電力信号（ＶＣＣ１）がさらに入力される。マルチプレクサ２０２は、シリアル信号、及び無線伝送信号を電力信号に多重して多重化信号を生成する。マルチプレクサ２０２により生成された多重化信号は、同軸ケーブル２０４を通じて表示部１０２のデマルチプレクサ２０６に伝送される。
【００５６】
（表示部１０２の機能構成について）
同軸ケーブル２０４を通じて多重信号が伝送されると、デマルチプレクサ２０６は、多重信号に含まれる電力信号（ＶＣＣ２）、シリアル信号、無線伝送信号を分離する。デマルチプレクサ２０６により分離された電力信号（ＶＣＣ２）は、表示部１０２の各構成要素に駆動電力として供給される。また、無線伝送信号は、第１アンテナ１５４に伝送される。さらに、シリアル信号は、デシリアライザ１３８のレシーバ１７２に入力される。なお、デマルチプレクサ２０６の詳細な回路構成については後述する。
【００５７】
ここで、デシリアライザ１３８の機能構成について説明する。図４に示すように、デシリアライザ１３８は、主に、レシーバ１７２と、Ｓ／Ｐ変換部１７６と、デコーダ２１０と、クロック検出部２１２とにより構成される。なお、上記の携帯端末１００に搭載されたデシリアライザ１３８との主な相違点は、ＰＬＬを持たないクロック検出部２１２の機能構成にある。
【００５８】
上記の通り、デシリアライザ１３８には、デマルチプレクサ２０６からシリアル信号が入力される。このシリアル信号は、レシーバ１７２により受信される。レシーバ１７２により受信されたシリアル信号は、デコーダ２１０、及びクロック検出部２１２に入力される。デコーダ２１０は、入力されたシリアル信号のヘッダを参照してデータの先頭部分を検出し、エンコーダ２０８が用いた符号化方式に従って元のシリアル信号を復号する。このとき、デコーダ２１０は、クロック検出部２１２により再生されたクロックを用いる。
【００５９】
ここで、図５を参照しながら、デコーダ２１０による復号方法について簡単に説明する。上記の通り、シリアル信号は、エンコーダ２０８により信号（Ｃ）のように符号化されたものである。そこで、デコーダ２１０は、レシーバ１７２により受信された信号の振幅がＡ１であるか、Ａ２であるかを判定して元のシリアル信号を復号する。例えば、データ１に対応する振幅Ａ１（−１、−３、１、３）と、データ０に対応する振幅Ａ２（−２、２）との判定には、図５に示した４つの閾値（Ｌ１、Ｌ２、Ｌ３、Ｌ４）が用いられる。
【００６０】
例えば、デコーダ２１０は、入力されたシリアル信号信号の振幅と上記４つの閾値（Ｌ１、Ｌ２、Ｌ３、Ｌ４）とを比較する。なお、デコーダ２１０に入力される実際のシリアル信号の波形は、伝送する過程で高域遮断が伴うため、図７に示すように丸みを帯びたアイパターンになる。さて、デコーダ２１０は、その比較結果に基づいて振幅がＡ１であるか、Ａ２であるかを判定する。さらに、デコーダ２１０は、その判定結果から元のシリアル信号を復号する。但し、絶対値回路を用いてシリアル信号の振幅値がマイナスの領域をプラスの領域に折り返せば、２つの閾値により振幅Ａ１、Ａ２の判定が可能になる。
【００６１】
このようにしてデコーダ２１０により復号されたシリアル信号はＳ／Ｐ変換部１７６に入力される。デコーダ２１０からシリアル信号が入力されると、Ｓ／Ｐ変換部１７６は、入力されたシリアル信号をパラレル信号（パラレル表示データ）に変換する。Ｓ／Ｐ変換部１７６で変換されたパラレル信号は、液晶部１０４（ＬＣＤ）に入力される。
【００６２】
一方、クロック検出部２１２は、レシーバ１７２により受信されたシリアル信号からクロック成分を検出する。このとき、クロック検出部２１２は、シリアル信号の振幅値と閾値Ｌ０（電位０）とを比較して極性反転の周期を検出する。さらに、クロック検出部２１２は、検出した極性反転の周期に基づいてクロック成分を検出し、元のクロックを再生する。このように、クロック検出部２１２は、シリアル信号からクロック成分を検出する際にＰＬＬ回路を用いない。そのため、デシリアライザ１３８の側にＰＬＬ回路を設けずに済む分だけ消費電力を低減させることができる。なお、クロック検出部２１２により再生されたクロックは、デコーダ２１０に入力される。
【００６３】
以上、本実施形態に係る携帯端末２００の機能構成について説明した。上記の通り、携帯端末２００は、シリアル信号、及び無線伝送信号を電力信号に多重して伝送するため、これらの信号を１本の同軸ケーブル２０４で伝送することができる。その結果、接続部１０６に配線されるケーブルの数が１本で済むため、接続部１０６の可動範囲が拡大すると共に、信号線の信頼度が大きく向上する。また、クロック信号が重畳された信号を伝送信号に用いることで、表示部１０２にＰＬＬ回路を設けずに済むため、携帯端末２００の消費電力を低減させることができる。
【００６４】
［３：信号多重／分離手段の回路構成について］
ここで、図８を参照しながら、携帯端末２００が備える信号多重／分離手段（マルチプレクサ２０２、デマルチプレクサ２０６）の回路構成について説明する。図８は、本実施形態に係る信号多重／分離手段の回路構成例を示す説明図である。
【００６５】
（マルチプレクサ２０２（ＭＵＸ））
図８に示すように、マルチプレクサ２０２は、コンデンサＣ１、Ｃ２、Ｃ３と、チョークコイルＬ１とにより構成される。
【００６６】
まず、シリアライザ１３４から出力されたシリアル信号はコンデンサＣ１を介して伝送ポイントＰ点に送られる。一方、ＲＦ部１５０から出力された高周波の無線伝送信号はコンデンサＣ２を介して伝送ポイントＰ点に送られる。また、直流電源ＶＣＣ１から入力された電力信号は、デカップリングコンデンサＣ３、及びチョークコイルＬ１により形成されるローパスフィルタを介して伝送ポイントＰ点に送られる。そして、伝送ポイントＰ点では、シリアル信号、無線伝送信号、電力信号が結合される。なお、コンデンサＣ１は、通過するシリアル信号の直流成分をカットする。同様に、コンデンサＣ２は、通過する無線伝送信号の直流成分をカットする。一方、デカップリングコンデンサＣ３及びチョークコイルＬ１は、高周波信号が直流電源ＶＣＣ１に逆流するのを防止している。
【００６７】
（デマルチプレクサ２０６（ＤＭＵＸ））
図８に示すように、デマルチプレクサ２０６は、コンデンサＣ４、Ｃ５、Ｃ６、Ｃ７、Ｃ８と、チョークコイルＬ２、Ｌ３、Ｌ４、Ｌ５とにより構成される。
【００６８】
伝送ポイントＰ点で多重された信号は、同軸ケーブル２０４を通じてデマルチプレクサ２０６の伝送ポイントＱ点に到達する。伝送ポイントＱ点における多重信号は、シリアル信号、無線伝送信号、電力信号が周波数軸上で多重された状態にある。まず、デカップリングコンデンサＣ４、及びチョークコイルＬ２で形成されるローパスフィルタに多重信号が入力され、電力信号が抽出される。抽出された電力信号は、表示部１０２の電源（ＶＣＣ２）として用いられる。
【００６９】
また、チョークコイルＬ３、Ｌ４、及びデカップリングコンデンサＣ６により形成されるローパスフィルタ２２２には、コンデンサＣ５を通過した多重信号が入力される。同様に、チョークコイルＬ５、及びコンデンサＣ７、Ｃ８により形成されるハイパスフィルタ２２４には、コンデンサＣ５を通過した多重信号が入力される。但し、ローパスフィルタ２２２、及びハイパスフィルタ２２４に入力される多重信号からは、コンデンサＣ５により直流成分（電力信号に相当）が取り除かれている。
【００７０】
ここで、図９を参照する。図９には、シリアル信号（映像信号）の周波数スペクトラム、及び無線伝送信号（ＲＦ信号）の使用周波数帯が示されている。さらに、図９には、ローパスフィルタ２２２、及びハイパスフィルタ２２４の伝達特性が示されている。図９に示すように、ローパスフィルタ２２２は、無線伝送信号の周波数帯をカットし、シリアル信号の周波数帯を通過させる周波数特性を有している。一方、ハイパスフィルタ２２４は、無線伝送信号の周波数帯を通過させ、シリアル信号の周波数帯をカットする周波数特性を有している。そのため、ローパスフィルタ２２２を通過した信号には無線伝送信号の信号成分が含まれない。同様に、ハイパスフィルタ２２４を通過した信号にはシリアル信号の信号成分が含まれない。つまり、ローパスフィルタ２２２、及びハイパスフィルタ２２４によりシリアル信号と無線伝送信号とが分離される。
【００７１】
再び図８を参照する。ローパスフィルタ２２２を通過した信号はデシリアライザ１３８に入力され、元のパラレル信号（パラレル表示データ）に復元される。一方、ハイパスフィルタ２２４を通過した信号は第１アンテナ１５４に伝送される。なお、シリアル化された映像信号の伝送速度は５００Ｍｂｐｓ以下である。また、携帯電話等で用いられる無線周波数帯は、８００ＭＨｚ帯以上である。そのため、映像信号と無線伝送信号とは比較的容易に分離される。
【００７２】
以上、本実施形態の携帯端末２００に搭載される多重化手段の回路構成例について説明した。上記のような回路構成を採用することにより、周波数軸上で信号を多重／分離することが可能になる。なお、電力信号に多重される伝送信号の数が３以上の場合においても、追加された伝送信号の周波数帯を切り出すフィルタをデマルチプレクサ２０６に設けることで多重信号を同様に分離することができる。
【００７３】
［４：ＰＣへの応用］
次に、図１０、図１１を参照しながら、携帯端末２００の構成をノート型のパーソナルコンピュータ（以下、ノートＰＣ）に応用する方法について説明する。図１０は、本実施形態に係るノートＰＣ３００の外観を示す説明図である。図１１は、本実施形態に係るノートＰＣ３００の内部構成を示す説明図である。
【００７４】
まず、図１０に示すように。ノートＰＣ３００は、上記の携帯端末２００と同様、操作部３０２、及び表示部３０８により構成される。また、表示部３０８には、液晶部３０４、及び第１アンテナ３０６が設けられている。さらに、操作部３０２には、第２アンテナ３１０が設けられている。そして、図１１に示すように、第２アンテナ３１０は、無線ＬＡＮ制御部３１４に接続されている。また、無線ＬＡＮ制御部３１４は、マルチプレクサ２０２、及び情報処理部３１２に接続されている。このように、上記の携帯端末２００とノートＰＣ３００との間の主な相違点は、その外観と、情報処理部３１２、及び無線ＬＡＮ制御部３１４の機能構成にある。
【００７５】
情報処理部３１２は、ＣＰＵ（Ｃｅｎｔｒａｌ  Ｐｒｏｃｅｓｓｉｎｇ  Ｕｎｉｔ）等により構成され、コンピュータプログラムの実行処理や各種の演算処理を行う。また、情報処理部３１２の演算結果は、シリアライザ１３４、又は無線ＬＡＮ制御部３１４に入力される。例えば、情報処理部３１２から映像表示データが出力された場合、その映像表示データは、パラレル表示データの形でシリアライザ１３４に入力される。シリアライザ１３４に入力された映像表示データは、シリアル化されてマルチプレクサ２０２に入力される。例えば、無線ＬＡＮ制御部３１４から無線ＬＡＮで送信される高周波信号が出力された場合、マルチプレクサ２０２には、この高周波信号も入力される。さらに、マルチプレクサ２０２には、操作部３０２に搭載されたバッテリーから電力信号が入力される。
【００７６】
マルチプレクサ２０２は、シリアライザ１３４を介して情報処理部３１２から入力された映像表示データのパラレル信号、無線ＬＡＮ制御部３１４から出力された無線ＬＡＮの高周波信号、及び電力信号を多重して多重信号を生成する。この多重信号は、１本の同軸ケーブル２０４を通じて表示部３０８に伝送される。表示部３０８においては、同軸ケーブル２０４を通じて伝送された多重信号がデマルチプレクサ２０６に入力される。デマルチプレクサ２０６は、入力された多重信号からシリアル信号、高周波信号、電力信号を周波数軸上で分離する。デマルチプレクサ２０６により分離された電力信号は、表示部３０８の駆動電源として用いられる。また、高周波信号は、第１アンテナ３０６を通じて無線送信される。さらに、シリアル信号は、デシリアライザ１３８によりパラレル表示データに変換され、液晶部３０４に入力される。
【００７７】
以上、本実施形態に係る信号伝送方法をＰＣに応用するケースについて説明した。この説明の中で、一例として、操作部３０２から表示部３０８に向けて映像表示データ、無線ＬＡＮの高周波信号、直流電流を多重して供給する方法が示された。しかしながら、本実施形態に係る技術の適用範囲はこれに限定されない。例えば、表示部３０８から操作部３０２に、或いは、操作部３０２から表示部３０８に向けて、音声データや１セグメントの地上波デジタル放送信号等が電力信号に多重して伝送されてもよい。このような信号伝送方法を採用することで、１本の同軸ケーブル２０４を用いて複数の信号を伝送することが可能になり、操作部３０２と表示部３０８との接続部分の可動範囲を拡大することができる。例えば、１本の同軸ケーブル２０４を軸にして、表示部３０８が操作部３０２に対して３６０度回転可能な構造にすることも可能である。また、表示部３０８の回転時に、同軸ケーブル２０４にかかるストレスが最小化されるため、同軸ケーブル２０４の信頼性が格段に高まる。
【００７８】
以上、本実施形態に係る信号伝送方法、及びこれを搭載した装置（携帯端末２００、ノートＰＣ３００）について説明した。上記の通り、本実施形態に係る技術を適用することで、１本の同軸ケーブル２０４を用いて複数の伝送信号を直流電流に重畳させて送信することができるようになる。また、個々の伝送信号にはクロック信号が重畳されているため、受信側でＰＬＬを用いずともクロックを再生することが可能になる。その結果、ＰＬＬを用いずに済む分だけ消費電力を低減させることができる。このような効果は、携帯電話等の電子機器にとっては非常に重要である。もちろん、携帯電話に限らず、携帯ゲーム機、撮像装置、ノート型ＰＣ、電子辞書、プリンタ、ファクシミリ、その他情報家電等に適用した場合にも非常に有用な効果が得られる。とりわけ、可動部分を含み、当該可動部分で接続された２つ以上の構成部材の間で電力供給、及びデータ伝送が発生するような電子機器において好適に用いられる。
【００７９】
［５：まとめ］
最後に、本実施形態の情報処理装置（例えば、携帯端末２００、ノートＰＣ３００）が有する機能構成と、当該機能構成により得られる作用効果について簡単に纏める。
【００８０】
まず、本実施形態に係る情報処理装置の機能構成は次のように表現することができる。当該情報処理装置は、次のような信号多重部と、１本の信号ケーブルと、信号分離部とを有する。上記の信号多重部は、互いに異なる周波数帯を有し、かつ、直流成分を含まない複数の伝送信号と、直流電源から供給される電力信号とを多重して多重信号を生成するものである。
【００８１】
このように、信号多重部で多重される個々の伝送信号は、互いに異なる周波数帯に属する。そのため、複数の伝送信号が多重化されても、周波数軸上で個々の伝送信号を容易に分離することができるのである。但し、互いに異なる周波数帯に属する複数の伝送信号のみが信号多重部に入力されるように構成されていてもよいし、或いは、周波数帯が互いに異なるように個々の伝送信号を変調してから信号多重部に入力されるように構成されていてもよい。また、個々の伝送信号は直流成分を含まないものである。そのため、個々の伝送信号が直流の電力信号に多重されても、電力信号、及び個々の伝送信号を周波数軸上で容易に分離することができるのである。
【００８２】
また、上記の信号ケーブルは、前記信号多重部により生成された多重信号が伝送されるものである。上記の通り、信号多重部により複数の伝送信号、及び電力信号が多重化されているため、これらの信号を全て１本の信号ケーブルで伝送することが可能になる。信号ケーブルが１本であるため、信号ケーブルが配線される部分に可動部材が用いられても、可動部材の変形に伴う信号ケーブルの断線や損傷の危険性が非常に低い。また、信号ケーブルを軸にして３６０度回転するような可動部材の変形も可能になる。そのため、変形自由度の高い可動部材を用いて情報処理装置の構造を設計できるようになり、設計の自由度が大きく拡大される。その結果、テレビジョン放送の視聴時、撮像時、通話時、データ入力時等、利用状況に応じてユーザが使いやすい形態に情報処理装置の形状を変えることができるような構造が実現可能になる。
【００８３】
また、上記の信号分離部は、前記信号ケーブルを通じて伝送された多重信号を前記各伝送信号に対応する周波数帯の信号、及び前記電力信号に対応する周波数帯の信号に分離するものである。上記の通り、複数の伝送信号はそれぞれ互いに異なる周波数帯に属する。また、個々の伝送信号は直流成分を含まない。そのため、多重信号から直流成分を抽出すれば電力信号が分離され、多重信号から個々の伝送信号に対応する周波数帯の成分を抽出すれば個々の伝送信号が分離される。このように、上記の信号多重部で生成された多重信号は、信号分離部により周波数軸上で容易に分離することができる。上記の通り、信号多重部と信号分離部とを組み合わせることで、１本の信号ケーブルを用いた多重伝送が実現される。その結果、上記のような効果が得られ、ユーザの利便性を大きく向上させることが可能になる。
【００８４】
上記の情報処理装置について、より具体的に述べると次のようになる。前記情報処理装置は、前記信号ケーブルにより接続された第１及び第２の情報処理モジュールを備える。但し、前記第１の情報処理モジュールは、前記直流電源、前記信号多重部、及び前記伝送信号に所定の処理を施す信号処理部を有するものである。そして、前記第２の情報処理モジュールは、映像信号を出力する表示画面、無線アンテナ、及び前記信号分離部を有するものである。この場合、前記信号多重部は、前記伝送信号として、前記表示画面に出力される映像信号、及び前記無線アンテナから伝送される無線信号を前記電力信号に多重して多重信号を生成する。さらに、前記信号分離部は、前記多重信号から前記映像信号、前記無線信号、及び前記電力信号を分離する。
【００８５】
通常、２つの情報処理モジュールに分かれている情報処理装置においては、一方の情報処理モジュールに電源が搭載されている。そのため、一方の情報処理モジュールから他方の情報処理モジュールに電力供給が行われる。つまり、２つの情報処理モジュールの間で必ず電力信号が伝送される。また、一方の情報処理モジュールに表示画面が搭載されている場合、２つの情報処理モジュールの間で映像信号が伝送される。この段階で、既に電力信号の信号線と映像信号の信号線とが必要になる。
【００８６】
さらに、携帯電話においては当然のことながら無線通信／通話手段が搭載されている。同様に、ノートＰＣのような電子機器においても、無線ＬＡＮ等の無線通信手段が搭載されている。周知の通り、無線通信アンテナは人体により遮蔽を受けやすい。そのため、多くの情報処理装置においては、ユーザが操作する部分から離れた位置に無線通信アンテナが設けられている。こうした場合、２つの情報処理モジュールの間で無線信号の伝送が必要となる。この段階で電力信号の信号線、映像信号の信号線、無線信号の信号線が必要になる。しかし、上記の情報処理装置においては、これらの信号を周波数軸上で多重して伝送するため、１本の信号ケーブルで伝送することができるのである。なお、電力信号は直流であり、映像信号は約５００Ｍｂｐｓ以下の伝送速度であり、無線信号は約８００ＭＨｚ帯以上の周波数帯である。そのため、これらの信号は互いに周波数帯の中心位置が離れており、周波数軸上で分離しやすく、上記の多重伝送方式に適している。もちろん、このような特徴を有する他種類の信号についても同様に適用可能である。
【００８７】
また、上記の信号分離部について、より詳細に述べると次のようになる。前記信号分離部は、周波数０近傍の周波数帯を通過帯域とする第１のフィルタと、前記各伝送信号の周波数帯をそれぞれ通過帯域とする複数の第２のフィルタとを含む。この場合、前記第１のフィルタにより前記多重信号から前記電力信号が抽出される。さらに、前記電力信号が除去された多重信号から前記各第２のフィルタにより前記各伝送信号が抽出される。このように、複数のフィルタを用いて多重信号から周波数軸上で電力信号、及び各伝送信号が順次抽出される。
【００８８】
また、前記情報処理装置は、ノート型のパーソナルコンピュータ、又は携帯電話であってもよい。その他にも、上記の情報処理装置は、携帯ゲーム機や撮像装置等の各種電子機器であってもよい。さらに、前記信号多重部は、前記伝送信号として、少なくとも無線ＬＡＮ（Ｌｏｃａｌ  Ａｒｅａ  Ｎｅｔｗｏｒｋ）の送受信信号、又は放送波の受信信号を前記電力信号に多重するように構成されていてもよい。
【００８９】
また、前記信号多重部は、互いに異なる第１及び第２のビット値を含む入力データに対し、前記第１のビット値を複数の第１の振幅値で表現し、前記第２のビット値を前記第１の振幅値とは異なる第２の振幅値で表現し、連続して同じ振幅値をとらず、かつ、一周期毎に振幅値の極性が反転するように符号化された前記複数の伝送信号を前記電力信号に多重するように構成されていてもよい。このような符号化方式で符号化された伝送信号を用いることで、受信側においてＰＬＬを用いずにクロックを再生することが可能になる。つまり、受信側では、振幅値の極性反転周期が検出され、その極性反転周期からクロックが再生される。その結果、ＰＬＬを設けずに済む分だけ消費電力を低減させることができる。さらに、ＰＬＬを設けない分だけ回路規模が小さくなり、製造コストが低減される。
【００９０】
（備考）
上記のマルチプレクサ２０２は信号多重部の一例である。上記の同軸ケーブル２０４は信号ケーブルの一例である。上記のデマルチプレクサ２０６は信号分離部の一例である。上記の操作部１０８は第１の情報処理モジュールの一例である。上記のシリアライザ１３４、ＲＦ部１５０は信号処理部の一例である。上記の表示部１０２は第２の情報処理モジュールの一例である。上記の液晶部１０４は表示画面の一例である。上記の第１アンテナ１５４は無線アンテナの一例である。上記のパラレル表示データのシリアル信号は映像信号の一例である。上記のチョークコイルＬ２、及びデカップリングコンデンサＣ４の組み合わせは第１フィルタの一例である。上記のチョークコイルＬ３、Ｌ４、及びデカップリングコンデンサＣ６の組み合わせ（ローパスフィルタ２２２）は第２フィルタの一例である。また、上記のチョークコイルＬ５、及びコンデンサＣ７、Ｃ８の組み合わせ（ハイパスフィルタ２２４）も第２フィルタの一例である。
【００９１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００９２】
例えば、上記の実施形態においては、ＡＭＩ符号にクロックを重畳して伝送信号を生成する方法が説明され、当該伝送信号を電力信号に多重して伝送する方式が一例として説明された。しかしながら、本実施形態に係る技術は、直流成分を持たないＡＭＩ符号やマンチェスター符号を電力信号に多重して伝送する方式にも拡張することができる。但し、上記実施形態の中で説明した符号化方式を用いる方が好ましい。また、上記の実施形態においては、ＲＦ部１５０から無線伝送信号が送信されるケースのみが例示されていたが、アンテナを介して無線伝送信号がＲＦ部１５０に受信されるケースについても同様である。
【図面の簡単な説明】
【００９３】
【図１】シリアル伝送方式を採用した携帯端末の構成例を示す説明図である。
【図２】シリアル伝送方式を採用した携帯端末の構成例を示す説明図である。
【図３】本発明の一実施形態に係る携帯端末の構成例を示す説明図である。
【図４】同実施形態に係る携帯端末の構成例を示す説明図である。
【図５】同実施形態に係る符号化方法を示す説明図である。
【図６】同実施形態に係る信号の周波数スペクトルを示す説明図である。
【図７】同実施形態に係る信号の受信波形を示す説明図である。
【図８】同実施形態に係る信号多重／分離手段の回路構成を示す説明図である。
【図９】同実施形態に係るフィルタの伝達特性を示す説明図である。
【図１０】同実施形態に係るノートＰＣの構成例を示す説明図である。
【図１１】同実施形態に係るノートＰＣの構成例を示す説明図である。
【符号の説明】
【００９４】
１００、２００    携帯端末
１０２、３０８    表示部
１０４、３０４    液晶部
１０６    接続部
１０８、３０２    操作部
１１０    ベースバンドプロセッサ
１３４    シリアライザ
１３６    シリアル信号線路
１３８    デシリアライザ
１５０    ＲＦ部
１５２    無線信号線路
１５４、３０６    第１アンテナ
１５６、３１０    第２アンテナ
１５８    電源線路
１６２    Ｐ／Ｓ変換部
１６４、２０８    エンコーダ
１６６    ドライバ
１７２    レシーバ
１７４、２１０    デコーダ
１７６    Ｓ／Ｐ変換部
１７８    クロック再生部
１８０    ＰＬＬ部
２０２    マルチプレクサ
２０４    同軸ケーブル
２０６    デマルチプレクサ
２１２    クロック検出部
２２２    ローパスフィルタ
２２４    ハイパスフィルタ
３００    ノートＰＣ
３１２    情報処理部
３１４    無線ＬＡＮ制御部
ＡＤＤ    加算器
Ｃ１、Ｃ２、Ｃ３、Ｃ４、Ｃ５、Ｃ６、Ｃ７、Ｃ８    コンデンサ
Ｌ１、Ｌ２、Ｌ３、Ｌ４、Ｌ５    チョークコイル
【図１】
2010093462.tif 000003
【図２】
2010093462.tif 000004
【図３】
2010093462.tif 000005
【図４】
2010093462.tif 000006
【図５】
2010093462.tif 000007
【図６】
2010093462.tif 000008
【図７】
2010093462.tif 000009
【図８】
2010093462.tif 000010
【図９】
2010093462.tif 000011
【図１０】
2010093462.tif 000012
【図１１】
2010093462.tif 000013